(57)【要約】【課題】多様な文書を切り替えながら行う業務において、作業効率の低下を解消する。【解決手段】作業環境管理装置１００は、複数の文書を切り替えながら行う業務において作業環境を管理する装置である。装置上での文書に対する操作に関する情報である文書操作情報を取得する文書操作情報取得部１２１と、取得した文書操作情報を用いて１つ以上の文書を作業環境に関連づけた情報である作業環境情報を取得する作業環境取得部１２３と、取得した作業環境情報を記憶する作業環境記憶部１２９と、ユーザによって選択された作業環境に基づいて該作業環境に関連づけられた文書を表示する作業環境復元部１２７と、を備える。【選択図】図２
2010117821.tif 000002
【特許請求の範囲】
【請求項１】
複数の文書を切り替えながら行う業務において作業環境を管理する作業環境管理装置であって、
装置上での文書に対する操作に関する情報である文書操作情報を取得する文書操作情報取得手段と、
取得した文書操作情報を用いて１つ以上の文書を作業環境に関連づけた情報である作業環境情報を取得する作業環境取得手段と、
取得した作業環境情報を記憶する作業環境記憶手段と、
ユーザによって選択された作業環境に基づいて該作業環境に関連づけられた文書を表示する作業環境復元手段と、
を備えることを特徴とする作業環境管理装置。
【請求項２】
前記文書操作情報取得手段は、前記文書操作情報として文書の開閉状態に関する情報である文書開閉情報を取得し、
前記作業環境取得手段は、ユーザによって指定された時間の文書開閉情報を利用して前記作業環境情報を取得することを特徴する、請求項１記載の作業環境管理装置。
【請求項３】
前記文書操作情報取得手段は、前記文書操作情報として文書のフォーカスに関する情報である文書フォーカス情報を取得し、
前記作業環境取得手段は、ユーザによって指定された時間の文書フォーカス情報を利用して前記作業環境情報を取得することを特徴とする、請求項１又は２記載の作業環境管理装置。
【請求項４】
ユーザ情報を管理するユーザ情報管理手段を備え、
該ユーザ情報管理手段は、前記作業環境情報をユーザ毎に管理し、複数のユーザ間で共有させる管理を行うことを特徴とする、請求項１から３のいずれか１項記載の作業環境管理装置。
【請求項５】
複数の文書を切り替えながら行う業務において作業環境を管理する作業環境管理方法であって、
文書に対する操作に関する情報である文書操作情報を取得する文書操作情報取得工程と、
取得した文書操作情報を用いて１つ以上の文書を作業環境に関連づけた情報である作業環境情報を取得する作業環境取得工程と、
取得した作業環境情報を記憶する作業環境記憶工程と、
ユーザによって選択された作業環境に基づいて該作業環境に関連づけられた文書を表示する作業環境復元工程と、
を含むことを特徴とする作業環境管理方法。
【請求項６】
複数の文書を切り替えながら行う業務において作業環境を管理する作業環境管理装置を、
装置上での文書に対する操作に関する情報である文書操作情報を取得する文書操作情報取得手段と、
取得した文書操作情報を用いて１つ以上の文書を作業環境に関連づけた情報である作業環境情報を取得する作業環境取得手段と、
取得した作業環境情報を記憶する作業環境記憶手段と、
ユーザによって選択された作業環境に基づいて該作業環境に関連づけられた文書を表示する作業環境復元手段として機能させることを特徴とする作業環境管理プログラム。
【発明の詳細な説明】
【技術分野】
【０００１】
本発明は、作業環境管理装置、方法及びプログラムに関し、特に、多様な文書を切り替えながら行う業務に用いると好適な作業環境管理装置、方法及びプログラムに関する。
【背景技術】
【０００２】
コンピュータ端末などで業務を行う場合、業務を切り替えたり、中断したりする度に、ユーザは業務に関連する文書を閉じたり、開いたりするなど作業環境を切り替える必要がある。業務に関連する文書が複数ある場合、全ての文書を探して開くという手間は大きくなり、業務の効率を低下させる要因となっている。こうした作業環境を容易に切り替えることを目的とした技術として以下のものが開示されている。
【０００３】
特許文献１に記載の発明では、ユーザはコンピュータ端末上で表示しているファイル情報を用いて、１つ以上の文書を関連付けて作業環境を保存することができ、保存した作業環境を選択して復元することで、関連付けられているファイルを簡単に表示することができる。これによりユーザは必要なときに現在のファイルの表示状況を作業環境として記録、復元することができる。
【０００４】
また、特許文献２に記載の発明では、表示されているＷｅｂページの所在情報、指定文字列情報を取得し、作業環境情報として登録し、ユーザが記憶された作業環境を選択することで作業環境に関連付けられたＷｅｂページを表示することができる。
【０００５】
しかし、上述した技術では以下のような問題がある。特許文献１では作業環境に関連付けられる文書の形式が「ファイル」に限定されている。近年ではＷｅｂ技術やＤＢ技術の進化により、文書がファイルの形式だけでなく、Ｗｅｂページや、ＤＢ文書（例えばＬｏｔｕｓＮｏｔｅｓ（登録商標）での文書など）など多様な形式で管理されている。そのため業務に関連付ける文書が「ファイル」だけでは業務に必要な文書が全ては管理できないという問題がある。
【０００６】
また、特許文献１又は２に記載の発明では作業環境を登録する際には「現在表示している文書（ファイルあるいはＷｅｂページ）」の情報を利用して関連文書情報を登録できるようになっている。しかし、実際の業務では常に必要な文書を開いているわけではなく、必要の無くなった文書を閉じたりしながら作業を行っている。そのため「現在表示している文書（ファイルあるいはＷｅｂページ）」の情報だけでは、直前に閉じてしまった文書などを関連付けることができないという問題がある。
【０００７】
また、特許文献３に記載の発明では、ユーザはスケジュールやＴｏｄｏなどのタスク情報に関連付けて文書を管理、共有することができる。異なるアプリケーションや文書形式の文書を関連付けることができ、ユーザはタスクを選択することで業務に必要な文書に簡単にアクセスすることができる。しかし、この発明では文書の関連付けを１つ１つ行わなくてはならず、複数の文書が業務に必要な場合は関連付けの作業がユーザの負担になるという問題がある。
【特許文献１】特開２００４−２８７９９９号公報
【特許文献２】特開２００５−１９０２８１号公報
【特許文献３】特開２００７−０４８２４０号公報
【発明の開示】
【発明が解決しようとする課題】
【０００８】
本発明は上記課題を鑑みてなされたものであり、多様な文書を切り替えながら行う業務において、作業効率の低下を解消する作業環境管理装置、方法及びプログラムを提供することを課題とする。
【課題を解決するための手段】
【０００９】
上記目的を達成するために以下の構成の発明を提供する。
【００１０】
本発明に係る作業環境管理装置は、複数の文書を切り替えながら行う業務において作業環境を管理する作業環境管理装置であって、装置上での文書に対する操作に関する情報である文書操作情報を取得する文書操作情報取得手段と、取得した文書操作情報を用いて１つ以上の文書を作業環境に関連づけた情報である作業環境情報を取得する作業環境取得手段と、取得した作業環境情報を記憶する作業環境記憶手段と、ユーザによって選択された作業環境に基づいて該作業環境に関連づけられた文書を表示する作業環境復元手段と、を備えることを特徴とする。
【００１１】
本発明に係る作業環境管理方法は、複数の文書を切り替えながら行う業務において作業環境を管理する作業環境管理方法であって、文書に対する操作に関する情報である文書操作情報を取得する文書操作情報取得工程と、取得した文書操作情報を用いて１つ以上の文書を作業環境に関連づけた情報である作業環境情報を取得する作業環境取得工程と、取得した作業環境情報を記憶する作業環境記憶工程と、ユーザによって選択された作業環境に基づいて該作業環境に関連づけられた文書を表示する作業環境復元工程と、を含むことを特徴とする。
【００１２】
本発明に係る作業環境管理プログラムは、複数の文書を切り替えながら行う業務において作業環境を管理する作業環境管理装置を、装置上での文書に対する操作に関する情報である文書操作情報を取得する文書操作情報取得手段と、取得した文書操作情報を用いて１つ以上の文書を作業環境に関連づけた情報である作業環境情報を取得する作業環境取得手段と、取得した作業環境情報を記憶する作業環境記憶手段と、ユーザによって選択された作業環境に基づいて該作業環境に関連づけられた文書を表示する作業環境復元手段として機能させることを特徴とする。
【発明の効果】
【００１３】
本発明によれば、多様な文書を切り替えながら行う業務において、作業効率の低下を解消する作業環境管理装置、方法及びプログラムを提供することが可能となる。
【発明を実施するための最良の形態】
【００１４】
以下、図面を参照しながら本発明を実施形態により説明する。
【００１５】
＜第１の実施形態＞
図１に、本実施形態に係る作業環境管理装置１００のハードウェア構成を示す。作業環境管理装置１００のバス１１０に対して、ＣＰＵ(Ｃｅｎｔｒａｌ  Ｐｒｏｃｅｓｓｉｎｇ  Ｕｎｉｔ)１１４、ＲＯＭ（Ｒｅａｄ  Ｏｎｌｙ  Ｍｅｍｏｒｙ）１１５、ＲＡＭ(Ｒａｎｄｏｍ  Ａｃｃｅｓｓ  Ｍｅｍｏｒｙ)１１６、記憶装置１１７、出力装置１１１、入力装置１１２、通信Ｉ／Ｆ（通信インタフェース）１１３が接続されている。
【００１６】
作業環境管理装置１００の構成を詳細に説明する。制御手段の一例であるＣＰＵ１１４は、ＲＯＭ１１５に格納されているプログラムを実行することで作業環境管理装置１００の各装置を制御する。ＲＡＭ１１６は、ＣＰＵ１１４がプログラムを実行する際のワーク用エリアとして使用され、また、各処理の際に生成されるデータを一時的に記憶する手段としても使用される。
【００１７】
記憶装置１１７は、ハードディスクなどの記憶媒体で構成され、ＣＰＵ１１４にて実行されるプログラムや、各処理の際に利用される各種データを記憶する。
【００１８】
出力装置１１１は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、ＰＬＤ（Ｐａｐｅｒ  Ｌｉｋｅ  Ｄｉｓｐｌａｙ）などで構成され、出力装置１１１には作業環境管理装置１００の動作に伴う各種の情報が表示される。なお、各種の情報が表示できるものであれば上記の例に限るものではない。
【００１９】
入力装置１１２は、作業環境管理装置１００の筐体や作業環境管理装置１００と無線又は有線を介して接続されるリモートコントロール装置に設けられるボタン等である。ユーザは、入力装置１１２を操作して作業環境管理装置１００に各種の入力を行うことができる。上述した表示装置をタッチパネルとして構成し、入力装置１１２を兼ねるとしても良い。
【００２０】
通信Ｉ／Ｆ１１３は、ＣＰＵ１１４から供給されるデータを、インターネットやＬＡＮ（Ｌｏｃａｌ  Ａｒｅａ  Ｎｅｔｗｏｒｋ）などのネットワークを介して、他の情報処理装置に送信したり、他の情報処理装置から送信されてくるデータを受信し、ＣＰＵ１１４に供給したりすることを可能とする。また、本実施形態の通信Ｉ／Ｆ１１３は、デジタルカメラやスキャナやプリンタ等の外部機器との接続のためのインターフェースとしての機能も有しているものとする。なお、通信Ｉ／Ｆ１１３としては、ＵＳＢ等の有線インターフェースに限らず、ブルートゥース（登録商標）、ＩｒＤＡ（Ｉｎｆｒａｒｅｄ  Ｄａｔａ  Ａｓｓｏｃｉａｔｉｏｎ）等の無線インターフェースを使用することができる。
【００２１】
また、以下の実施の形態においてはユーザが操作する対象が「文書」であることを例に説明を行っているが、本発明の技術的思想からすれば、ユーザによって操作される対象は「文書」に限るものではなく、文（テキスト）を含まない画像や画像と文が混在している混在文書や動画や音声といった情報であっても良い。
【００２２】
したがって、本発明及び以下の実施の形態の説明において、「文書」とは、テキストから構成されるテキスト文書、文（テキスト）を含まない画像、画像と文が混在している混在文書、動画、音声、といった各種情報を含むものとする。
【００２３】
次に、本実施形態の機能構成について説明する。
図２に、本実施形態の機能構成を示す。図示のように、作業環境管理装置１００は、文書操作情報取得部１２１、文書操作情報管理部１２２、作業環境取得部１２３、作業環境管理部１２４、表示部１２５、入力部１２６、作業環境復元部１２７、文書操作情報記憶部１２８、作業環境記憶部１２９を備える。図２に示す各部は、図１に示したハードウェアを用いるソフトウェアによって実現する。
【００２４】
以下、処理の大まかな流れについて説明する。
【００２５】
（１）本装置でソフトウェアを起動すると、文書操作情報取得部１２１が装置上での文書操作の取得を開始する。本実施形態では、装置ではＭｉｃｒｏｓｏｆｔ  Ｗｉｎｄｏｗｓ（登録商標）に代表されるＧＵＩによるウィンドウシステムを持つＯＳが動作しているものとする。本実施形態では、取得する文書操作情報として、文書ウィンドウの開閉、フォーカスイン／フォーカスアウト（文書ウィンドウの最前面化、非最前面化）を取得するものとする。その他、ユーザ識別情報としてＯＳへのログイン名、文書タイトル、文書識別情報なども取得する。ここでいう文書識別情報とはファイルパスやＵＲＬなどの文書のロケーション情報であり、文書の識別や作業環境復元時の文書操作に利用する。取得した文書操作情報は文書操作情報記憶部１２８に格納する。
【００２６】
（２）作業環境取得部１２３では、ユーザの指示により作業環境情報の取得を行う。ユーザは作業環境取得部１２３において、任意の時刻、或いは任意の開始時刻、終了時刻間に操作した文書情報を参照でき、その中から１つ以上の文書を選択して作業環境情報として記憶することができる。文書操作情報として文書の開閉情報、文書のフォーカス情報を利用することができる。取得した作業環境情報は、作業環境記憶部１２９に記憶される。
【００２７】
（３）作業環境復元部１２７では、記憶されている作業環境情報を参照することができ、指定された作業環境情報に関連づけられている文書を表示部１２５に表示することができる。
【００２８】
以下、処理の詳細について説明する。
【００２９】
＜文書操作情報取得＞
文書操作情報取得部１２１ではユーザが装置上で行った文書に対する操作情報を取得する。本実施形態では、Ｍｉｃｒｏｓｏｆｔ  Ｗｉｎｄｏｗｓ（登録商標）に代表されるＧＵＩによるウィンドウシステムを持つＯＳが動作しているものとする。本実施形態では取得する文書操作情報として、「文書の開閉」、「文書のフォーカス」（文書ウィンドウの最前面化）を取得するものとする。
【００３０】
図３に、文書操作情報例を示す。文書開閉情報、文書フォーカス情報の取得は、クライアントのＯＳにおけるウィンドウへのメッセージを取得することで行う。
【００３１】
図４に、文書操作情報取得部１２１による文書操作情報取得処理のフローを示す。装置に表示されるウィンドウへ送られるメッセージを取得し（ステップＳ１０１，Ｓ１０２）、「開閉」、「フォーカスイン／フォーカスアウト」が実施されたかどうかを判断し（ステップＳ１０３〜Ｓ１０７）、実施されていれば図３に例示したような文書操作情報を生成し（ステップＳ１０４，Ｓ１０６）、文書操作情報記憶部１２８に記憶する。
【００３２】
開閉文書操作情報取得処理では、図３に例示したような文書操作情報を取得する。図３中、「ＩＤ」は文書操作情報識別子であり、ユニークなＩＤを付与する。「ユーザ」はユーザを識別する情報で本実施形態ではＯＳへのログイン名を取得する。「操作種別」は操作情報を識別する情報で本実施形態では「開閉」「フォーカス」の２種類とする。「開始時刻」は文書の操作開始時刻である。「終了時刻」は文書操作終了時刻である。「文書タイトル」は文書のタイトルであるが本実施形態ではウィンドウのタイトルを取得して文書タイトルとする。「アプリケーション名」は文書の操作に利用しているアプリケーションの名前である。「文書識別情報（ロケーション）」は文書を識別するための情報であり、ファイルパスやＵＲＬなど文書の管理場所を表す情報である。
【００３３】
図５に、文書識別情報取得処理のフローを示す。また、図６に、アプリケーションと文書識別情報取得処理の対応表の例を示す。
【００３４】
開閉操作情報取得処理、フォーカスイン／フォーカスアウト操作情報取得処理は以下の通りである。
（１）クライアントＯＳへのログイン時のユーザＩＤを取得してユーザ情報とする（ステップＳ２０１）。
（２）対象ウィンドウのウィンドウタイトルを取得して文書タイトル情報とする（ステップＳ２０２）。
（３）対象ウィンドウを管理するアプリケーションのモジュール名を取得してアプリケーション名とする（ステップＳ３０３）。
（４）図６の対応表よりアプリケーション名から文書識別情報取得処理方法を取得する（ステップＳ２０４）。
（５）文書識別情報取得処理方法が取得できれば（ステップＳ２０５／Ｙｅｓ）、文書識別情報情報を取得する（ステップＳ２０６）。文書識別情報取得処理方法が取得できなければ（ステップＳ２０５／Ｎｏ）、取得せずにステップＳ２０７に進む。
（６）取得した文書操作情報を文書操作情報記憶部に登録する（ステップＳ２０７）。
【００３５】
文書識別情報取得について説明する。文書識別情報取得では、例えば、Ｍｉｃｒｏｓｏｆｔ  Ｗｉｎｄｏｗｓ（登録商標）の場合、アプリケーションやサービスがその内部のオブジェクト、機能を外部のアプリケーションやサービスに公開することのできる、オートメーションと呼ばれる技術などを利用する。このオートメーションに対応しているアプリケーションであれば、文書識別情報を取得できる場合が多い。またオートメーションに対応していなくても文書ウィンドウ内に表示している文書識別情報をウィンドウメッセージなどを使って取得することができる場合もある。このように文書識別情報取得方法（プログラムコード）はアプリケーションごとに異なるために、アプリケーションごとの文書識別情報取得処理を用意し、アプリケーション情報によりどの文書識別情報取得処理を利用するかを判断し、処理を実行する。
【００３６】
＜作業環境取得＞
作業環境取得部１２３では、文書操作情報を利用して作業環境情報の取得、登録を行う。ユーザからの指示により、図７に示す作業環境登録ダイアログを表示する。ユーザはダイアログにおいてタイトル入力、文書選択を行い「登録」ボタンを押すことで作業環境を登録することができる。
【００３７】
図７に示す文書選択部では文書操作情報管理部から指定された時間内に操作した文書を取得して、アプリケーションごとにカテゴリーに分けて表示する。文書操作種別を指定することで「開いていた文書」あるいは「フォーカスしていた文書」のどちらかを表示することができる。ユーザは設定時刻指定と時間幅指定により任意の開始時刻、終了時刻内に操作した文書の情報を文書選択部に表示させることができる。
【００３８】
作業環境取得処理のフローを図８に示す。
（１）設定時刻、時間幅を初期値に設定する（設定時刻は現在時間、時間幅は３０分）（ステップＳ３０１）。
（２）設定時刻と時間幅で決定される「開始時刻」と「終了時刻」により、文書操作情報管理部から指定時間内に操作した文書を取得する（ステップＳ３０２）。
（３）操作種別指定（「開閉」「フォーカス」）にしたがって取得した操作文書情報を表示する（ステップＳ３０３）。
（４）設定時刻が変更されたら、設定時刻を修正して（２）へ戻る（ステップＳ３０４，３１０）。
（５）時間幅が変更されたら、時間幅を修正して（２）へ戻る（ステップＳ３０５，３１０）。
（６）登録ボタンが押されたら（７）へ進み、押されていなければ（４）に戻る（ステップＳ３０６）。
（７）タイトルを取得する（ステップＳ３０７）。
（８）選択された文書情報を取得する（ステップＳ３０８）
（９）タイトル、選択文書情報、登録時刻を作業環境記憶部に登録する（ステップＳ３０９）。
【００３９】
登録される作業環境情報を図９、図１０に示す。図９は作業環境ＩＤ、タイトル、登録時刻を記憶するテーブルで、図１０は作業環境に関連付けられた文書情報（アプリケーション名、文書タイトル、文書識別情報）を記憶する。
【００４０】
＜作業環境復元＞
作業環境復元部１２７では、保存されている作業環境からユーザが選択した作業環境に関連付けて登録されている文書を起動して表示部１２５に表示する。作業環境復元ダイアログを図１１に示す。ユーザは作業環境選択部で復元したい作業環境を選択する。すると選択された作業環境に関連付けて登録されている文書情報が登録文書選択部に表示される。ユーザは表示した文書を選択して「復元」ボタンを押すと選択された文書がアプリケーションで開かれて表示される。
【００４１】
作業環境復元処理フローを図１２に示す。
（１）作業環境管理部から登録されている作業環境情報全てを取得する（ステップＳ４０１）。
（２）作業環境選択部に作業環境情報を表示する（ステップＳ４０２）。
（３）選択されている作業環境情報に関連登録されている文書情報を文書選択部に表示する（ステップＳ４０３）
（４）異なる作業環境情報が選択されたら（３）に戻る（ステップＳ４０４）。
（５）復元ボタンが押されたら（６）に進み、押されていなければ（４）に戻る（ステップＳ４０５）。
（６）文書選択部で選択されている文書情報を取得する（ステップＳ４０６）。
（７）取得した文書情報にもとづいて文書をアプリケーションで開く（ステップＳ４０７）。
【００４２】
＜本実施形態の効果＞
上記実施形態によれば、多様なアプリケーション、システムで管理されている作業に必要な文書を簡単にまとめて作業環境として記憶し、必要に応じて復元することができる。すなわち、多様な文書を切り替えながら行う業務において、文書操作履歴を用いて簡単に作業環境を記憶、復元できるようにすることで、作業の切り替えや中断にかかるコストによる作業効率の低下という問題を解消することができる。
【００４３】
また、上記実施形態では、文書の開閉に関する情報を文書操作情報に含めて取得している。これにより、任意の時刻、あるいは時間幅において開いていた文書を簡単にまとめて作業環境として記憶し、必要に応じて復元することができる。
【００４４】
また、上記実施形態では、文書のフォーカスに関する情報を文書操作情報に含めて取得している。これにより、任意の時刻、あるいは時間幅においてフォーカスしていた文書、つまりは実際にユーザが操作していた文書を簡単にまとめて作業環境として記憶し、必要に応じて復元することができる。
【００４５】
＜第２の実施形態＞
次に、第２の実施形態により説明する。第２の実施形態の構成を図１３に示す。第２の実施形態では作業環境をユーザごとに管理する、複数ユーザ間で共有することを目的としている。図１３に示すように、本実施形態は、ユーザ情報記憶部１３０、ユーザ情報管理部１３１を備え、以下に説明するように動作することによって、上記目的を達成している。以下、第１の実施形態との相違点を中心に、本実施形態の構成及び動作について説明する。
【００４６】
＜文書操作情報取得＞
文書操作情報取得については第１の実施形態と同じである。
【００４７】
＜作業環境取得＞
作業環境取得部１２３での、作業環境登録ダイアログの例を図１４に示す。図１４では、ユーザ選択部が追加されている。ユーザは作業環境を共有したいユーザを選択して登録することができる。作業環境情報は図９、図１０に加えて、図１５に示す作業環境情報（ユーザ情報）も加えて記憶される。図１５ではユーザ情報が作業環境ＩＤと関連付けて記憶される。また文書操作情報取得時には利用ユーザの操作情報を取得する。
【００４８】
作業環境取得フローを図１６に示す（図１６においては、図８と異なるステップのみに新しく符号を振る）。
（１）ユーザ情報管理部１３１から登録されているユーザ情報を取得する（ステップＳ５０１）。
（２）ユーザ情報選択部に取得したユーザ情報を表示する（ステップＳ５０２）。
（３）設定時刻、時間幅を初期値に設定する（設定時刻は現在時間、時間幅は３０分）。
（４）設定時刻と時間幅で決定される「開始時刻」と「終了時刻」により、文書操作情報管理部１２２から指定時間内に利用ユーザが操作した文書を取得する。
（５）操作種別指定（「開閉」「フォーカス」）にしたがって取得した操作文書情報を表示する。
（６）設定時刻が変更されたら、設定時刻を修正して（２）へ戻る。
（７）時間幅が変更されたら、時間幅を修正して（２）へ戻る。
（８）登録ボタンが押されたら（７）へ進み、押されていなければ（４）に戻る。
（９）タイトルを取得する。
（１０）選択された文書情報を取得する。
（１１）選択されたユーザ情報を取得する（ステップＳ５０３）。
（１２）タイトル、選択文書情報、選択ユーザ情報、登録時刻を作業環境記憶部１２９に登録する。
【００４９】
＜作業環境復元＞
作業環境復元部１２７では、作業環境管理部１２４から作業環境を取得する際に、利用ユーザがユーザ情報として登録されている作業環境を取得する。以下は第１の実施形態と同じである。
【００５０】
＜本実施形態の効果＞
これにより作業環境情報をユーザごとに管理したり、複数のユーザで共有したりすることができ、グループで作業を行う環境での作業環境管理を行うことができる。
【００５１】
以上、本発明の各実施形態について説明したが、上記各実施形態に限定されるものではなく、その要旨を逸脱しない範囲において種々の変形が可能である。
【００５２】
例えば、上述した各実施形態における動作（各フローチャートに示す動作）は、ハードウェア、又は、ソフトウェア、あるいは、両者の複合構成によって実行することも可能である。
【００５３】
ソフトウェアによる処理を実行する場合には、処理シーケンスを記録したプログラムを、専用のハードウェアに組み込まれているコンピュータ内のメモリにインストールして実行させてもよい。あるいは、各種処理が実行可能な汎用コンピュータにプログラムをインストールして実行させてもよい。
【００５４】
例えば、プログラムは、記録媒体としてのハードディスクやＲＯＭ（Ｒｅａｄ  Ｏｎｌｙ  Ｍｅｍｏｒｙ）に予め記録しておくことが可能である。あるいは、プログラムは、ＣＤ−ＲＯＭ（Ｃｏｍｐａｃｔ  Ｄｉｓｃ  Ｒｅａｄ  Ｏｎｌｙ  Ｍｅｍｏｒｙ），ＭＯ（Ｍａｇｎｅｔｏ  ｏｐｔｉｃａｌ）ディスク，ＤＶＤ（Ｄｉｇｉｔａｌ  Ｖｅｒｓａｔｉｌｅ  Ｄｉｓｃ）、磁気ディスク、半導体メモリなどのリムーバブル記録媒体に、一時的、あるいは、永続的に格納（記録）しておくことが可能である。このようなリムーバブル記録媒体は、いわゆるパッケージソフトウエアとして提供することが可能である。
【００５５】
なお、プログラムは、上述したようなリムーバブル記録媒体からコンピュータにインストールする他、ダウンロードサイトから、コンピュータに無線転送してもよい。又は、ＬＡＮ（Ｌｏｃａｌ  Ａｒｅａ  Ｎｅｔｗｏｒｋ）、インターネットといったネットワークを介して、コンピュータに有線で転送してもよい。コンピュータでは、転送されてきたプログラムを受信し、内蔵するハードディスク等の記録媒体にインストールすることが可能である。
【００５６】
また、上記実施形態で説明した処理動作に従って時系列的に実行されるのみならず、処理を実行する装置の処理能力、あるいは、必要に応じて並列的にあるいは個別に実行するように構築することも可能である。
【００５７】
また、上記実施形態で説明したシステムは、複数の装置の論理的集合構成にしたり、各装置の機能を混在させたりするように構築することも可能である。
【産業上の利用可能性】
【００５８】
本発明は、作業環境管理システム、装置（機器）、方法、プログラム等に適用できる。
【図面の簡単な説明】
【００５９】
【図１】本発明の実施形態のハードウェア構成図である。
【図２】本発明の実施形態の機能構成を示すブロック図である。
【図３】本発明の実施形態の文書操作情報の例である。
【図４】本発明の実施形態の文書操作情報取得処理の流れを示すフローチャートである。
【図５】本発明の実施形態の文書識別情報取得処理の流れを示すフローチャートである。
【図６】本発明の実施形態の文書ロケーション取得処理方法対応表の例である。
【図７】本発明の実施形態の作業環境登録ダイアログの例である。
【図８】本発明の実施形態の作業環境取得処理の流れを示すフローチャートである。
【図９】本発明の実施形態の作業環境情報の例（その１）である。
【図１０】本発明の実施形態の作業環境情報の例（その２）である。
【図１１】本発明の実施形態の作業環境復元ダイアログの例である。
【図１２】本発明の実施形態の作業環境復元処理の流れを示すフローチャートである。
【図１３】第２の実施形態の機能構成を示すブロック図である。
【図１４】第２の実施形態における作業環境登録ダイアログの例である。
【図１５】第２の実施形態における作業環境情報（ユーザ情報）の例である。
【図１６】第２の実施形態の作業環境取得処理の流れを示すフローチャートである。
【符号の説明】
【００６０】
１００    作業環境管理装置
１２１    文書操作情報取得部
１２２    文書操作情報管理部
１２３    作業環境取得部
１２４    作業環境管理部
１２５    表示部
１２６    入力部
１２７    作業環境復元部
１２８    文書操作情報記憶部
１２９    作業環境管理部
１３０    ユーザ情報記憶部
１３１    ユーザ情報管理部
【図１】
2010117821.tif 000003
【図２】
2010117821.tif 000004
【図３】
2010117821.tif 000005
【図４】
2010117821.tif 000006
【図５】
2010117821.tif 000007
【図６】
2010117821.tif 000008
【図７】
2010117821.tif 000009
【図８】
2010117821.tif 000010
【図９】
2010117821.tif 000011
【図１０】
2010117821.tif 000012
【図１１】
2010117821.tif 000013
【図１２】
2010117821.tif 000014
【図１３】
2010117821.tif 000015
【図１４】
2010117821.tif 000016
【図１５】
2010117821.tif 000017
【図１６】
2010117821.tif 000018